(57)【要約】      （修正有）【課題】配管を床スラブの下面などの支持面から吊り下げて支持する際に、配管の軸に交差する方向のみならず、配管の軸に沿う方向への揺れをも防ぐことができる吊り下げ支持構造及び吊り下げ支持装置を提供する。【解決手段】吊り下げ支持装置１は、配管を挿通させて保持する挿通保持部２と、挿通保持部２から鉛直上方に延びて支持面に固定される鉛直支持部３と、挿通保持部２の両側から上方かつ互いに離れる方向に延びるとともに、支持面に固定される一対の傾斜支持部４と、を備え、一対の傾斜支持部４は、それぞれ、配管の一方側に延びる第一傾斜支持部５と、配管の他方側に延びる第二傾斜支持部６と、を有して構成されている。【選択図】図２
2014222074.tif 000002
【特許請求の範囲】
【請求項１】
支持面から配管を吊り下げて支持する配管の吊り下げ支持構造であって、
前記配管の保持位置から鉛直上方に位置する一点と、
前記保持位置の両側からそれぞれ上方かつ前記配管の軸方向の一方側及び他方側に位置する四点と、
の五点において前記支持面に前記配管が支持されることを特徴とする配管の吊り下げ支持構造。
【請求項２】
支持面から配管を吊り下げて支持する配管の吊り下げ支持装置であって、
前記配管を挿通させて保持する挿通保持部と、
前記挿通保持部から鉛直上方に延びて前記支持面に固定される鉛直支持部と、
前記挿通保持部の両側からそれぞれ上方かつ互いに離れる方向に延びるとともに、前記支持面に固定される一対の傾斜支持部と、を備え、
前記一対の傾斜支持部は、それぞれ、前記配管の軸方向一方側に延びる第一傾斜支持部と、前記配管の軸方向他方側に延びる第二傾斜支持部と、を有して構成されることを特徴とする配管の吊り下げ支持装置。
【請求項３】
前記挿通保持部は、前記配管が挿通される円環状の挿通保持部本体と、前記挿通保持部本体の上部において前記鉛直支持部を固定する鉛直固定部と、前記挿通保持部本体の径方向外側に向かって設けられるとともに前記一対の傾斜支持部を固定する一対の支持部固定部と、を有して構成され、
前記第一傾斜支持部は、前記支持部固定部に固定される第一連結部材と、一端部が前記第一連結部材に連結されるとともに他端部が前記支持面に延びて固定される第一棒状部材と、を有して構成され、
前記第二傾斜支持部は、前記支持部固定部に固定される第二連結部材と、一端部が前記第二連結部材に連結されるとともに他端部が前記支持面に延びて固定される第二棒状部材と、を有して構成されることを特徴とする請求項２に記載の配管の吊り下げ支持装置。
【請求項４】
前記第一連結部材及び前記第二連結部材は、それぞれ、前記支持部固定部に対して回動自在に設けられるとともに、固着具により該支持部固定部に固定されていることを特徴とする請求項３に記載の配管の吊り下げ支持装置。
【請求項５】
前記第一連結部材及び第二連結部材は、それぞれ、前記支持部固定部と連結される基端側連結面と、前記基端側連結面の端縁から上方かつ前記支持部固定部から離れる方向に延びる傾斜面と、前記傾斜面の端縁に連なるとともに前記棒状部材と連結される先端側連結面と、を有して形成され、
前記第一連結部材及び前記第二連結部材の前記傾斜面は、一方が他方よりも長く形成されていることを特徴とする請求項３又は４に記載の配管の吊り下げ支持装置。
【発明の詳細な説明】
【技術分野】
【０００１】
本発明は、床スラブの下面などの支持面に配管を吊り下げて支持する吊り下げ支持構造、及び、配管の吊り下げ支持構造において用いる吊り下げ支持装置に関する。
【背景技術】
【０００２】
従来、支持面に配管を吊り下げて支持する方法として、種々提案されている（例えば、特許文献１参照）。特許文献１に記載の配管支持装置は、配管をバンドで抱持支持した状態で床スラブ等の支持面から吊り下げ支持するとともに、一端が支持面に取り付けられる防振杆の他端がバンド端部を基準にバンド上の相対向する位置に取り付けられることにより配管の軸に交差する方向への揺れを防止することができる。
【先行技術文献】
【特許文献】
【０００３】
【特許文献１】実用新案登録第３１４８３６１号公報
【発明の概要】
【発明が解決しようとする課題】
【０００４】
しかしながら、従来の吊り下げ支持構造は、配管の軸に交差する方向への揺れを防ぐことはできるが、配管の軸に沿う方向への揺れを防ぐことはできないという問題があった。
【０００５】
従って、本発明は、上記のような問題点に着目し、配管を支持面から吊り下げて支持する際に、配管の軸に交差する方向のみならず、配管の軸に沿う方向への揺れをも防ぐことができる吊り下げ支持構造及び吊り下げ支持装置を提供することを目的とする。
【課題を解決するための手段】
【０００６】
上記課題を解決するために、本発明の吊り下げ支持構造は、支持面から配管を吊り下げて支持する配管の吊り下げ支持構造であって、前記配管の保持位置から鉛直上方に位置する一点と、前記保持位置の両側からそれぞれ上方かつ前記配管の軸方向の一方側及び他方側とに位置する四点と、の五点において前記支持面に前記配管が支持されることを特徴とする。
【０００７】
本発明の吊り下げ支持構造によれば、配管の保持位置から鉛直上方に位置する一点と、保持位置の両側から軸交差方向に離れて位置し、かつ、配管の軸方向に沿った一方側及び他方側に位置する四点と、の五点において支持面に配管が支持されていることから、配管の軸に交差する方向のみならず、配管の軸に沿う方向への揺れをも防止することができる。
【０００８】
本発明の吊り下げ支持装置は、支持面から配管を吊り下げて支持する配管の吊り下げ支持装置であって、前記配管を挿通させて保持する挿通保持部と、前記挿通保持部から鉛直上方に延びて前記支持面に固定される鉛直支持部と、前記挿通保持部の両側からそれぞれ上方かつ互いに離れる方向に延びるとともに、前記支持面に固定される一対の傾斜支持部と、を備え、前記一対の傾斜支持部は、それぞれ、前記配管の軸方向一方側に延びる第一傾斜支持部と、前記配管の軸方向他方側に延びる第二傾斜支持部と、を有して構成されることを特徴とする。
【０００９】
本発明の吊り下げ支持装置によれば、配管が保持された挿通保持部から鉛直上方に延びて支持面に固定される鉛直支持部と、挿通保持部の両側からそれぞれ配管の軸方向に沿った一方側に延びて支持面に固定される第一傾斜支持部と、軸方向に沿った他方側に延びて支持面に固定される第二傾斜支持部と、により配管が支持面の五点に支持されていることから、配管の軸に交差する方向のみならず、配管の軸に沿う方向への揺れをも防ぐことができる。
【００１０】
また、請求項２に記載の吊り下げ支持装置において、前記挿通保持部は、前記配管が挿通される円環状の挿通保持部本体と、前記挿通保持部本体の上部において前記鉛直支持部を固定する鉛直固定部と、前記挿通保持部本体の径方向外側に向かって設けられるとともに前記一対の傾斜支持部を固定する一対の支持部固定部と、を有して構成され、前記第一傾斜支持部は、前記支持部固定部に固定される第一連結部材と、一端部が前記第一連結部材に連結されるとともに他端部が前記支持面に延びて固定される第一棒状部材と、を有して構成され、前記第二傾斜支持部は、前記支持部固定部に固定される第二連結部材と、一端部が前記第二連結部材に連結されるとともに他端部が前記支持面に延びて固定される第二棒状部材と、を有して構成されることが好ましい。
【００１１】
このような構成によれば、鉛直支持部は、挿通保持部本体の上部に固定され、第一傾斜支持部及び第二傾斜支持部は、挿通保持部本体の径方向外側に向かって設けられた支持部固定部に固定されることから、鉛直支持部及び傾斜支持部の固定される位置が挿通保持部上の一点に集中することがなく、互いに干渉しないことから、取付時の作業性を向上させることができる。
【００１２】
また、請求項３に記載の吊り下げ支持装置において、前記第一連結部材及び前記第二連結部材は、それぞれ、前記支持部固定部に対して回動自在に設けられるとともに、固着具により該支持部固定部に固定されていることが好ましい。
【００１３】
このような構成によれば、第一連結部材及び第二連結部材が支持部固定部に対して回動自在に設けられていることから、連結部材と棒状部材とを連結させる際に互いの位置や角度を合わせるための調整を容易に行うことができ、取付時の作業性を向上させることができる。
【００１４】
また、請求項３又は４に記載の配管の吊り下げ支持装置において、前記第一連結部材及び第二連結部材は、それぞれ、前記支持部固定部と連結される基端側連結面と、前記基端側連結面の端縁から上方かつ前記支持部固定部から離れる方向に延びる傾斜面と、前記傾斜面の端縁に連なるとともに前記棒状部材と連結される先端側連結面と、を有して形成され、第一連結部材及び第二連結部材の前記傾斜面は、一方が他方よりも長く形成されていることが好ましい。
【００１５】
このような構成によれば、第一傾斜面と第二傾斜面のうち一方が他方よりも長く形成されていることから、第一連結部材と第二連結部材とを重ねることができ、搬送時にコンパクトに収納することができる。
【発明の効果】
【００１６】
以上のような本発明の吊り下げ支持構造及び吊り下げ支持装置によれば、配管の保持位置から鉛直上方に位置する一点と、保持位置の両側から軸交差方向に離れて位置し、かつ、配管の軸方向に沿った一方側及び他方側に位置する四点と、の五点において支持面に配管が支持されることにより、配管の軸方向と交差する方向のみならず、軸に沿った方向への揺れをも防止することができる。
【図面の簡単な説明】
【００１７】
【図１】本発明の一実施形態に係る吊り下げ支持構造を示す図であり、（ａ）は斜視図、（ｂ）は側面図である。
【図２】前記吊り下げ支持構造における部分拡大図であり、（ａ）は斜視図、（ｂ）は側面図である。
【図３】本実施形態の吊り下げ支持装置の一部を示す斜視図である。
【図４】前記吊り下げ支持装置における傾斜支持部の一部を示す側面図である。
【図５】前記傾斜支持部が回動した状態を示す側面図である。
【発明を実施するための形態】
【００１８】
本発明の一実施形態に係る吊り下げ支持構造を図１〜５を参照して説明する。本実施形態の吊り下げ支持構造は、図１に示すように、吊り下げ支持装置１を適宜な間隔で用いて、配管Ｐを天井Ｃの上部に設けられた床スラブの下面（支持面）Ｓから吊り下げ支持するものである。隣り合う吊り下げ支持装置１の間には、例えば、鉛直上方の一点において配管Ｐを支持する既存の支持装置Ｈが用いられる。
【００１９】
吊り下げ支持装置１は、図２に示すように、配管Ｐを挿通させて保持する挿通保持部２と、挿通保持部２から鉛直上方に延びて支持面Ｓに固定される鉛直支持部３と、挿通保持部２の両側から上方かつ互いに離れる方向に延びるとともに、支持面Ｓに固定される一対の傾斜支持部４と、を備えて構成されている。
【００２０】
挿通保持部２は、図３に示すように、金属板材を曲げ加工して形成され、配管Ｐを挿通させるとともに、ヒンジ２１１により回動可能に形成された略円環状の挿通保持部本体２１と、挿通保持部本体２１の上部に固定されるとともに、鉛直支持部３の下端部を固定する鉛直固定部２２と、挿通保持部本体２１の径方向外側に向かって設けられるとともに、傾斜支持部４を固定する一対の支持部固定部２３と、を有して構成されている。挿通保持部本体２１の上部には、挿通保持部本体２１の端部がそれぞれ鉛直上方に屈曲した屈曲部２１２が形成され、鉛直固定部２２の下端は屈曲部２１２に挟まれるとともに、ボルト等の固定具２１３により固定されている。また、支持部固定部２３には、後述する固着具４１が挿通される固着具挿通孔２３１が設けられている。
【００２１】
鉛直支持部３は、図２に示すように、吊りボルト等の鉛直棒状部材３１を有して構成され、鉛直棒状部材３１の上端部は、例えば、支持面Ｓに設けられた埋め込みアンカーＡに固定され、下端部は、挿通保持部２の鉛直固定部２２に固定される。
【００２２】
一対の傾斜支持部４は、それぞれ、配管Ｐの一方側に延びる第一傾斜支持部５と、配管Ｐの他方側に延びる第二傾斜支持部６と、後述する第一連結部材５１及び第二連結部材６１を一対の支持部固定部２３にそれぞれ固着する固着具４１と、を有して構成されている。なお、図２（ａ）、図３に示された一対の傾斜支持部４のうち、図中左上側に示された傾斜支持部４Ａにおいては、配管Ｐの左下方向（図中の矢印Ｘ方向）を一方側、右上方向（図中の矢印Ｙ方向）を他方側とし、図中右下側に示された傾斜支持部４Ｂにおいては、配管Ｐの右上方向（矢印Ｙ方向）を一方側、左下方向（矢印Ｘ方向）を他方側とする。
【００２３】
第一傾斜支持部５は、図２及び図３に示すように、支持部固定部２３に固定される第一連結部材５１と、一端部が第一連結部材５１に連結されるとともに、他端部が支持面Ｓに延びて埋め込みアンカーＡ等に固定される第一棒状部材５２と、を有して構成されている。第二傾斜支持部６は、支持部固定部２３に固定される第二連結部材６１と、一端部が第二連結部材６１に連結されるとともに、他端部が支持面Ｓに延びて埋め込みアンカーＡ等に固定される第二棒状部材６２と、を有して構成されている。
【００２４】
第一連結部材５１及び第二連結部材６１は、図３及び図４に示すように、金属板材を曲げ加工して形成され、それぞれ、挿通保持部２の支持部固定部２３に固定される基端側連結面５１１，６１１と、第一棒状部材５２、第二棒状部材６２に固定される先端側連結面５１２，６１２と、基端側連結面５１１，６１１と先端側連結面５１２，６１２とを連結するとともに、上方かつ支持部固定部２３から離れる方向に延びる傾斜面５１３，６１３と、を有して形成されている。基端側連結面５１１，６１１には、固着具４１を挿通するための固着具挿通孔５１４，６１４が形成され、先端側連結面５１２，６１２には、第一棒状部材５２、第二棒状部材６２を挿通するための棒状部材挿通孔５１５，６１５が形成されている。
【００２５】
また、基端側連結面５１１，６１１と傾斜面５１３，６１３との連結辺には、連結辺に沿った長孔に形成された調整孔５１６，６１６が設けられている。調整孔５１６，６１６が設けられることにより連結辺の剛性が低くなり、先端側連結面５１２，６１２を第一棒状部材５２、第二棒状部材６２に固定する際に傾斜面５１３，６１３の角度を容易に調整することができる。先端側連結面５１２，６１２と傾斜面５１３，６１３との連結辺には、三角リブ５１７，６１７が形成されており、剛性が高くなっている。
【００２６】
また、図４に示すように、第一連結部材５１の基端側連結面５１１は、第二連結部材６１の基端側連結面６１１よりも挿通保持部２から離れる方向に長く形成され、第二連結部材の傾斜面６１３は、第一連結部材５１の傾斜面５１３よりも挿通保持部２から離れる方向に長く形成されていることにより、第一連結部材５１と第二連結部材６１とを重ねることができる。また、図５に示すように、第一連結部材５１及び第二連結部材６１は回動自在に設けられており、所望の角度に調節したうえで固着具４１により支持部固定部２３に固着することができる。
【００２７】
以上の吊り下げ支持装置１によれば、配管Ｐが挿通保持部２の挿通保持部本体２１に挿通され、さらに、挿通保持部２の鉛直固定部２２から鉛直上方に延びる鉛直支持部３と、挿通保持部２の挿通保持部本体２１の径方向外側に設けられた一対の支持部固定部２３からそれぞれ、上方かつ配管Ｐの軸方向一方側に延びる第一傾斜支持部５と、上方かつ配管Ｐの軸方向他方側に延びる第二傾斜支持部６と、が支持面Ｓの五点に固定されることにより、配管Ｐが支持面Ｓに吊り下げ支持されている。
【００２８】
本実施形態によれば、配管Ｐは、挿通保持部本体２１に挿通されるとともに、挿通保持部本体２１から鉛直上方に延びて支持面Ｓに固定される鉛直支持部３と、挿通保持部本体２１の両側に設けられた支持部固定部２３からそれぞれ、上方かつ配管Ｐの軸方向一方側に延びて支持面Ｓに固定される第一傾斜支持部５と、上方かつ配管Ｐの軸方向他方側に延びて支持面Ｓに固定される第二傾斜支持部６と、により支持されていることから、配管Ｐの軸に交差する方向のみならず、配管Ｐの軸に沿う方向への揺れをも防ぐことができる。
【００２９】
鉛直支持部３は、挿通保持部本体２１の上部に位置する鉛直固定部２２に固定され、第一傾斜支持部５及び第二傾斜支持部６は、挿通保持部本体２１の径方向外側に向かって設けられた支持部固定部２３に固定されることから、鉛直支持部３、第一傾斜支持部５、及び第二傾斜支持部６の固定される位置が挿通支持部本体２１上の一点に集中することがなく、互いに干渉することがないため、取付時の作業性を高めることができる。
【００３０】
第一連結部材５１及び第二連結部材６１は、それぞれ、支持部固定部２３に対して回動自在に設けられていることから、第一棒状部材５２、第二棒状部材６２を第一連結部材５１、第二連結部材６１に固定させる際に、第一連結部材５１、第二連結部材６１の位置や角度の調整を容易に行うことができ、取付時の作業性を向上させることができる。
【００３１】
また、第一連結部材５１の基端側連結面５１１は、第二連結部材６１の基端側連結面６１１よりも挿通保持部２から離れる方向に長く形成され、第二連結部材６１の傾斜面６１３は、第一連結部材５１の傾斜面５１３よりも挿通保持部２から離れる方向に長く形成されていることから、第一連結部材５１と第二連結部材６１とを重ねても互いに干渉しない。従って、第一連結部材５１と第二連結部材６１とを重ねることにより、搬送時にコンパクトに収納することができる。
【００３２】
なお、本発明は、前記実施形態に限定されるものではなく、本発明の目的が達成できる他の構成等を含み、以下に示すような変形等も本発明に含まれる。
【００３３】
例えば、前記実施形態においては、第一連結部材５１及び第二連結部材６１が支持部固定部２３に対して回動自在に設けられていたが、第一傾斜支持部５及び第二傾斜支持部６が配管Ｐの軸方向一方側と他方側において支持面Ｓに固定されていれば支持部固定部２３に対して回動自在に設けられていなくてもよく、また、第一連結部材５１及び第二連結部材６１が一体に形成されていてもよい。
【００３４】
また、吊り下げ支持装置１は、鉛直支持部３及び傾斜支持部４により支持面Ｓの五点に固定されていればよく、第一棒状部材５２、第二棒状部材６２は、第一連結部材５１、第二連結部材６２を介することなく支持部固定部２３に固定されてもよい。
【００３５】
また、第一連結部材５１と第二連結部材６２とは、基端側連結面５１１，６１１や傾斜面５１３，６１３が異なる長さに形成されていたが、同じ長さ及び形状の部材を用いてもよい。
【００３６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００３７】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
１      吊り下げ支持装置
２      挿通保持部
３      鉛直支持部
４      傾斜支持部
５      第一傾斜支持部
６      第二傾斜支持部
２１    挿通保持部本体
２２    鉛直固定部
２３    支持部固定部
４１    固着具
５１    第一連結部材
５２    第一棒状部材
６１    第二連結部材
６２    第二棒状部材
５１１，６１１  基端側連結面
５１２，６１２  先端側連結面
５１３，６１３  傾斜面
Ｐ      配管
Ｓ      床スラブ（支持面）
【図１】
2014222074.tif 000003
【図２】
2014222074.tif 000004
【図３】
2014222074.tif 000005
【図４】
2014222074.tif 000006
【図５】
2014222074.tif 000007